(57)【要約】【課題】            冷却液供給管から隔たった位置のステータコイルに対しても、冷却液を的確に供給し、効果的に冷却を行えるような回転電機の冷却構造を提供する【解決手段】        回転可能なロータ９１と、ステータ９４を備える回転電機の冷却構造が開示される。ロータの回転軸ｍ方向に延在し、ステータコイル９３に対し冷却液を吐出する吐出孔１３を有する冷却液供給管１１が備えられる。冷却液供給管１１にはガイド部材１２一が体化されている。ガイド部材１２は、冷却液供給管との接続部付近１２ａでは、回転電機の周方向に沿って延在すると共に、周方向の端部１２ｂにかけて前記ステータコイル９３に向かう方向に屈曲もしくは湾曲している。吐出孔の少なくとも一部１３は、回転電機の周方向に沿う方向に冷却液が吐出されるよう設けられ、当該吐出孔１３から吐出された冷却液がガイド部材１２の表面に沿って流れて前記ステータコイルに導かれる。【選択図】          図２
2019088057.tif 000002
【特許請求の範囲】
【請求項１】
軸周りに回転可能なロータと、前記ロータを取り囲むように前記ロータの外周部に設けられたステータコアおよび前記ステータコアに捲回されるステータコイルを有するステータと、を備える回転電機の冷却構造であって、
前記ロータの軸方向に延在するように設けられ、冷却液が流通する管路と、前記ステータコイルに対し冷却液を吐出する少なくとも１つ以上の吐出孔とを有する冷却液供給管を備え、
前記冷却液供給管に一体化されたガイド部材を備え、
前記ガイド部材は、冷却液供給管との接続部付近では、回転電機の周方向に沿って延在すると共に、周方向の端部にかけて前記ステータコイルに向かう方向に屈曲もしくは湾曲しており、
前記吐出孔の少なくとも一部は、軸方向に沿って見て回転電機の周方向に沿う方向に冷却液が吐出されるよう設けられ、当該吐出孔から吐出された冷却液がガイド部材の表面に沿って流れて前記ステータコイルに導かれる、
回転電機の冷却構造。
【請求項２】
前記ガイド部材には溝が形成されていて、吐出孔から吐出された冷却液が前記溝に沿って流れて、ステータコイルに導かれる、
請求項１に記載の回転電機の冷却構造。
【請求項３】
前記ガイド部材の周方向端部における前記溝の軸方向位置と、当該溝に冷却液を吐出する吐出孔の軸方向位置とが、異なる位置とされた、
請求項２に記載の回転電機の冷却構造。
【請求項４】
少なくとも前記ガイド部材の周方向端部が波板状に形成されている、
請求項２に記載の回転電機の冷却構造。
【請求項５】
前記ガイド部材には複数のリブが立設されていて、リブとリブの間が前記溝となる、
請求項２に記載の回転電機の冷却構造。
【請求項６】
回転電機の径方向に沿って見て、周方向に対し傾斜した方向に、吐出孔から冷却液が吐出されて、当該冷却液がガイド部材により導かれる、
請求項１に記載の回転電機の冷却構造。
【発明の詳細な説明】
【技術分野】
【０００１】
本発明は、回転電機の冷却構造に関する。特に冷却液によりステータコイルを冷却する液冷式の回転電機冷却構造に関する。
【背景技術】
【０００２】
回転電機は、電気自動車やハイブリッド自動車などを含め、多彩な用途に使用されている。回転電機は、モータジェネレータなどとも呼ばれ、電力を動力に変換するモータとしても、動力（回転力）を電力に変換するジェネレータとしても動作可能である。回転電機の構造としては、永久磁石を内蔵し回転可能に設けられたロータと、ロータを取り巻くように設けられたステータとにより構成される構造が一般的である。ステータに設けられたステータコイルと永久磁石の相互作用により、電力と動力の相互変換が行われる。
【０００３】
ステータコイルは電流が流れることにより発熱するため、冷却が行われる。自動車などに用いられる回転電機においては、ステータコイルにオイルなどをかけ流して、コイルを液冷する技術が開発されている。
例えば、特許文献１には、モータの冷却構造において、冷却液を流す管部材に複数の噴出穴を設け、噴出された液がコイルエンドにかかるまでの距離がより長くなる噴出穴を、同距離がより短くなる噴出穴よりも、冷却液の供給源に近くなるように配置する技術が開示されている。当該技術によれば、コイルエンドにおける冷媒がかかる範囲を広げ、コイルエンドを効率的に冷却できる。
【０００４】
また、特許文献２には、オイルパイプの上部に吐出孔を設ける一方で、回転電機のケースに１対のガイドリブを設け、上部の吐出孔から吐出されたオイルをガイドリブによりコイルの上方に導く技術が開示されている。当該技術によれば、冷却液の圧力調整が簡単に行えるようになり、回転電機の冷却性能を向上させることができる。
【先行技術文献】
【特許文献】
【０００５】
【特許文献１】特開２０１６−１３４９７２号公報
【特許文献２】特開２０１１−１９３６４２号公報
【発明の概要】
【発明が解決しようとする課題】
【０００６】
回転電機が高出力化するに伴い、冷却性をより高めることが求められるようになってきたが、従来技術においても、冷却液によってより効果的にコイルを冷却することが望まれるようになってきた。特に、冷却液配管から離れた位置にあるコイルに対し、的確に冷却液を供給することが望まれるようになってきた。
【０００７】
本発明の目的は、冷却液供給管から回転電機の周方向に隔たった位置に配置されたステータコイルに対しても、冷却液を的確に供給し、効果的に冷却を行えるような回転電機の冷却構造を提供することにある。
【課題を解決するための手段】
【０００８】
発明者は、鋭意検討の結果、吐出された冷却液を導くガイド部材を冷却液供給管に一体化すると共に、回転電機の周方向に冷却液を吐出して、冷却液をガイド部材の表面に沿って流し、ガイド部材の湾曲や屈曲を利用して冷却液の流れの方向を変化させると、上記課題を解決できることを知見し、本発明を完成させた。
【０００９】
本発明は、軸周りに回転可能なロータと、前記ロータを取り囲むように前記ロータの外周部に設けられたステータコアおよび前記ステータコアに捲回されるステータコイルを有するステータと、を備える回転電機の冷却構造であって、前記ロータの軸方向に延在するように設けられ、冷却液が流通する管路と、前記ステータコイルに対し冷却液を吐出する少なくとも１つ以上の吐出孔とを有する冷却液供給管を備え、前記冷却液供給管に一体化されたガイド部材を備え、前記ガイド部材は、冷却液供給管との接続部付近では、回転電機の周方向に沿って延在すると共に、周方向の端部にかけて前記ステータコイルに向かう方向に屈曲もしくは湾曲しており、前記吐出孔の少なくとも一部は、軸方向に沿って見て回転電機の周方向に沿う方向に冷却液が吐出されるよう設けられ、当該吐出孔から吐出された冷却液がガイド部材の表面に沿って流れて前記ステータコイルに導かれる、回転電機の冷却構造である（第１発明）。
【００１０】
第１発明において、好ましくは、前記ガイド部材には溝が形成されていて、吐出孔から吐出された冷却液が前記溝に沿って流れて、ステータコイルに導かれる（第２発明）。さらに、第２発明において、好ましくは、前記ガイド部材の周方向端部における前記溝の軸方向位置と、当該溝に冷却液を吐出する吐出孔の軸方向位置とが、異なる位置とされる（第３発明）。また、さらに、第２発明において、好ましくは、少なくとも前記ガイド部材の周方向端部が波板状に形成されている（第４発明）。また、さらに、第２発明において、好ましくは、前記ガイド部材には複数のリブが立設されていて、リブとリブの間が前記溝となる（第５発明）。
【００１１】
また、第１発明において、好ましくは、回転電機の径方向に沿って見て、周方向に対し傾斜した方向に、吐出孔から冷却液が吐出されて、当該冷却液がガイド部材により導かれる（第６発明）。
【発明の効果】
【００１２】
本発明の回転電機の冷却構造（第１発明）によれば、冷却液供給管から回転電機の周方向に隔たった位置に配置されたステータコイルに対しても、冷却液を的確に供給し、効果的に冷却を行える。
【００１３】
また、第２発明や第３発明、第４発明、第５発明のようにされていれば、周方向に離れた位置のコイルの所定の箇所に対して、集中して冷却液を流すことができ、冷却がより効率的になる。また、第３発明や第６発明のようにされていれば、冷却液の吐出孔を設ける位置や冷却液供給管の長さ等の設計自由度が増し、回転電機の冷却構造をより効果的、効率的に実現できる。
【図面の簡単な説明】
【００１４】
【図１】本発明に係る回転電機の冷却構造の実施形態を示す断面図である。
【図２】ガイド部材が一体化された冷却液供給管の第１実施形態を示す斜視図である。
【図３】ガイド部材が一体化された冷却液供給管の第１実施形態を示す断面図である。
【図４】ガイド部材が一体化された冷却液供給管の第１実施形態によって、吐出された冷却液がステータコイルに導かれる様子を示す断面模式図である。
【図５】ガイド部材が一体化された冷却液供給管の第１実施形態によって、吐出された冷却液が導かれる様子を示す斜視図である。
【図６】ガイド部材が一体化された冷却液供給管の第２実施形態を示す斜視図である。
【図７】ガイド部材が一体化された冷却液供給管の第３実施形態を示す斜視図である。
【図８】ガイド部材が一体化された冷却液供給管の第４実施形態を示す図である。
【発明を実施するための形態】
【００１５】
以下図面を参照しながら、ハイブリッド自動車に用いられる回転電機（モータジェネレータ）を例として、発明の実施形態について説明する。発明は以下に示す個別の実施形態に限定されるものではなく、その形態を変更して実施することもできる。
【００１６】
図１は、本発明に係る回転電機の冷却構造の一実施形態を示す断面図である。回転電機は、回転可能なロータ９１と、ロータの周囲に配されたステータ９４とを備える。この回転電機は、自動車に用いられる場合には、ロータの回転軸が自動車のトランスミッションなど駆動機構に接続されていて、電力により駆動力を発生するモータ（電動機）として、あるいは、回転力を電力に変換するジェネレータ（発電機）として動作するよう、構成される。
【００１７】
ロータ９１には、永久磁石が取付けられていて、回転軸ｍ周りに回転可能に回転電機のケース（図示せず）に支持されている。なお、回転電機はロータ９１に永久磁石を用いないタイプのものであってもよい。
【００１８】
ステータ９４は、ロータ９１の外周を取り囲むようにロータ外周部に並んで配置された複数のステータコア９２，９２と、それぞれのステータコア９２，９２に捲回されたステータコイル（以下単に「コイル」とも呼ぶ）９３，９３とにより構成されている。ステータ９４は、回転電機のケースの内部に固定されている。また、ステータ９４において、回転軸ｍの両端部では、コイルが露出しており、この部分はコイルエンドと呼ばれる。
【００１９】
ケースの内部には、好ましくはケースとステータ９４の間を通過するように、冷却液供給管１１が設けられている。冷却液供給管１１は、ロータの回転軸ｍと略平行に延在するように設けられる。冷却液供給管１１は、内部に冷却液が流通する管路を備える管体である。冷却液供給管１１は、ステータコイル９３に対し冷却液を吐出する少なくとも１つ以上の吐出孔を有する。
【００２０】
冷却液供給管１１は、後述するようにガイド部材１２と一体化されており、図１のＹ−Ｙ断面に示すように、ガイド部材１２がおおむね回転電機の周方向に延在するような姿勢で、冷却液供給管１１とガイド部材１２が取付けられる。冷却液供給管１１の本数や配置は特に限定されないが、吐出した冷却液が重力により流れてコイルを冷却するよう、コイル９３の上側や斜め上側、横側に面して配置されることが好ましい。
【００２１】
冷却液は、ポンプ等により回収・加圧され、ケースに設けられた管路等を通じて冷却液供給管１１に供給される。冷却液供給管１１の吐出孔１３，１４から吐出された冷却液がコイルエンドにかけられ、コイルを伝って下方に流れていく際にコイルが冷却される。吐出された冷却液は、ケース下部で回収され、循環してコイルを冷却する。冷却液は、典型的にはオイルである。冷却液の循環経路に、冷却液を冷却するオイルクーラーなどを備えさせることが好ましい。
【００２２】
図１のＸ−Ｘ断面に示すように、ステータコイル９３は、ステータコア９２に対し、回転軸ｍの両側で露出しており、この部分をコイルエンド９３ａ、９３ｂとして図示している。冷却液供給管１１から吐出される冷却液は、典型的には、コイルエンド９３ａ、９３ｂにかけられて、主にこの部分を冷却する。なお、両側のコイルエンド９３ａ、９３ｂの中間部、即ち、ステータコア９２の部分にも冷却液供給管に吐出孔を設けて、この部分も冷却液で冷却するようにしてもよい。
【００２３】
必須ではないが、冷却液供給管１１は、軸方向に分割して構成してもよい。例えば、回転軸の一端側に位置するコイルエンド９３ａに冷却液を供給する部分と、回転軸の他端側に位置するコイルエンド９３ｂに冷却液を供給する部分とを別体に設け、両者をつなぎ合わせて、一連の管路にするようにしてもよい。また、冷却液供給管１１において、冷却液が供給される側とは反対側の端部は、本実施形態のように、閉じられていることが好ましいが、これは必須ではなく、他の管路等に接続されていてもよい。
【００２４】
本発明に係る回転電機の冷却構造では、冷却液供給管１１に加え、ガイド部材１２が備えられている。図２、図３に示すように、ガイド部材１２は、冷却液供給管１１に一体化されており、管体に板状部材が一体化されたような形態の冷却液供給部材１となって、冷却構造に備えられている。ガイド部材１２と冷却液供給管１１の一体化は、樹脂の射出成形を利用した一体成形による一体化であることが好ましい。
【００２５】
ガイド部材１２の形態について説明する。ガイド部材１２は、冷却液供給管１１との接続部１２ａ付近では、回転電機の周方向に沿って延在すると共に、ガイド部材１２の回転電機周方向の端部１２ｂにかけて、ステータコイル９３に向かう方向に屈曲もしくは湾曲している。本実施形態においては、冷却液供給管１１との接続部１２ａ付近では、ガイド部材は、回転電機の周方向に延在する平板状に設けられると共に、ガイド部材１２の周方向の端部１２ｂは、回転電機の中心即ちコイルやロータが存在する方向に向かって湾曲するように形成されている。必須ではないが、ガイド部材１２の周方向の端部１２ｂは、その末端部において、回転電機の径方向にほぼ沿って延在するように設けられることが好ましい。
【００２６】
必須ではないが、狭いスペースに配置しやすくするため、ガイド部材１２は板状に設けられることが好ましい。ガイド部材は中空の箱状であってもよい。また、ガイド部材は、本実施形態の冷却液供給部材１においてそうであるように、冷却液供給管１１を挟んで両側に設けられることが好ましい。
【００２７】
冷却液供給管１１に設けられる吐出孔について説明する。冷却液供給管１１には、管の内部に供給された冷却液を外部に吐出する吐出孔が、管体の内外を貫通して設けられている。吐出孔の少なくとも一部は、ロータの回転軸方向に沿って見て、回転電機の周方向に沿う方向に冷却液が吐出されるよう設けられている。このような吐出孔を、以下、「第１吐出孔１３」と称する。本実施形態においては、図３のように、冷却液供給管１１が延在する方向に沿って見て、管の中心から回転電機の周方向に沿う方向（即ち、図３における左右方向）に、第１吐出孔１３，１３が空けられている。また、必須ではないが、本実施形態においては、回転電機の径方向に沿って見て、冷却液供給管１１の延在方向と直交する方向に、第１吐出孔１３，１３が空けられている。
【００２８】
図４、図５に示すように、第１吐出孔１３，１３から吐出された冷却液は、ガイド部材１２，１２の表面に沿って流れて、ガイド部材１２，１２の湾曲形状もしくは屈曲形状によって方向を変えられて、ステータコイル（コイルエンド９３ａ，９３ｂ）に導かれる。なお、図４，５においては、吐出された冷却液の流れを白抜き矢印で示している。後述する図８も同様である。
【００２９】
また、冷却液供給管１１は、従来公知の冷却液供給管が有していたようなステータコイルに向けて直接オイルがかかるように吐出する吐出孔（以下「第２吐出孔１４」とも称する）を有していてもよい。第２吐出孔１４、１４は、図３のように、冷却液供給管１１が延在する方向に沿って見て、管の中心からコイル９３に向かう方向（典型的には、回転電機の径方向）に空けられている。第２吐出孔１４、１４から吐出される冷却液は、コイルエンド９３ａ，９３ｂに直接かけられ、コイルを冷却する。
【００３０】
上記実施形態の回転電機の冷却構造を構成する冷却液供給部材１の製造方法について説明する。回転電機やその他の構成部材については公知の構造や公知の製造方法により調達すればよい。
【００３１】
必須ではないが、上記構造を有する冷却液供給部材１は、例えば、熱可塑性樹脂の射出成形を利用して製造することができる。
射出成形を利用した製造方法において、冷却液供給管１１の部分の冷却液が流通する管路については、コア型により形成してもよいし、いわゆるフローティングコア法により形成することもできる。形状によっては、射出成形後にドリルにより管路を空けてもよい。また、半割れ体を射出成形してから、半割れ体同士を溶着して、冷却液が流通する管路を有する冷却液供給管１１としてもよい
【００３２】
吐出孔１３，１４は、可能であれば、管体１１を射出成形する際に、ピンやスライド型などを利用して形成することが好ましいが、ドリルなどにより後加工して吐出孔をあけてもよい。
【００３３】
ガイド部材１２は、射出成形を利用して、冷却液供給管１１と一体成形することが好ましいが、一体成形することは必須ではなく、冷却液供給管１１とガイド部材１２をそれぞれ独立に形成して、それらを組み立てて冷却液供給部材１を製造してもよい。
また、冷却液供給管１１やガイド部材１２を構成する材料は、射出成形可能な合成樹脂に限定されるものではなく、金属等であってもよい。金属の場合には、溶接やかしめ、切削加工などの公知の加工方法を利用して冷却液供給部材１を製造すればよい。
【００３４】
上記実施形態の回転電機の冷却構造の作用及び効果について説明する。上記実施形態の冷却構造によれば、ガイド部材１２は、冷却液供給管１１との接続部１２ａ付近では、回転電機の周方向に沿って延在すると共に、周方向の端部１２ｂにかけてステータコイル９３に向かう方向に屈曲もしくは湾曲しており、さらに、ロータの回転軸に沿って見て、回転電機の周方向に沿う方向に冷却液が吐出されるように第１吐出孔１３が設けられ、第１吐出孔１３から吐出された冷却液がガイド部材１２の表面に沿って流れてステータコイル９３に導かれるようにされているので、冷却液供給管１１から回転電機の周方向に隔たった位置に配置されたステータコイルの部位に対して、冷却液を的確に供給することができ、効果的に冷却を行える。
【００３５】
特許文献１に記載された従来技術においては、軸方向に沿って見て、管部材から冷媒が斜め方向にも噴射され、管部材から離れた位置にも冷媒が供給される。しかしながら、特許文献１の技術により管部材から周方向に離れた位置にも冷媒を供給しようとすると、ステータコイルの外周面に対しかなり傾いた角度（寝た角度）で冷媒が供給され、供給された冷媒がステータコイルの外周面ではねてしまってコイル内部に入り込みにくく、管部材から周方向に離れた位置のコイルに冷媒を効率的に届けることができないという課題を発明者らは発見した。
【００３６】
また、特許文献２に記載された従来技術においては、オイルパイプの上部の突出孔から吐出されたオイルが、ケース等に設けられたガイドリブによりコイルの上部に滴下される。しかしながら、特許文献２の従来技術においても、オイルパイプの上部の突出孔から吐出されたオイルは、回転電機の軸方向にも拡散してしまい、吐出したオイルの一部しかコイルの冷却に活用されないとの課題を発明者らは発見した。
【００３７】
本発明に係る上記実施形態の回転電機の冷却構造によれば、第１吐出孔１３，１３から回転電機の周方向に沿う方向に吐出された冷却液は、ガイド部材１２の表面に沿って、あまり拡散することなく流れて、ガイド部材が湾曲もしくは屈曲形成されたガイド部材の端部付近でコイルに向かうように導かれる。そのため、第１吐出孔１３，１３から吐出させた冷却液を、あまり拡散させることなく、冷却液供給管１１から回転電機の周方向に隔たった位置に効率的に送ることができる。このような作用により、吐出した冷却液の利用効率を高めながら、効果的にステータコイル９３，９３を冷却することができる。また、冷却液を冷却液供給管１１から回転電機の周方向に隔たった位置に効率的に送ることができるので、配置すべき冷却液供給管の本数を減らせる場合もある。
【００３８】
発明は、上記実施形態に限定されるものではなく、種々の改変をして実施することができる。以下に発明の他の実施形態について説明するが、以下の説明においては、上記実施形態と異なる部分を中心に説明し、同様である部分についてはその詳細な説明を省略する。また、これら実施形態は、その一部を互いに組み合わせて、あるいは、その一部を置き換えて実施できる。
【００３９】
上記実施形態の説明においては、ガイド部材１２が、冷却液供給管１１との接続部付近１２ａでは、回転電機の周方向に沿って延在することを述べたが、ガイド部材の延在方向と回転電機の周方向とは、厳密に一致していなければならないわけではなく、第１吐出孔から周方向に沿うように吐出された冷却液がおおむねガイド部材の壁面に沿って流れるようになっていればよい。
【００４０】
また、上記実施形態の説明においては、第１吐出孔１３が、回転電機の周方向に沿う方向に冷却液が吐出されるよう設けられることを述べたが、冷却液の吐出方向と回転電機の周方向とは、厳密に一致していなければならないわけではなく、軸方向に沿って見た際に、第１吐出孔から吐出された冷却液がおおむね回転電機の周方向に流れればよい。両者の間に許容される角度は好ましくは３０度以下、より好ましくは１５度以下である。
【００４１】
また、第１吐出孔１３、１３の具体的形状は特に限定されない。穴の輪郭の形状は、円形であってもよいし、矩形状、半円状、かまぼこ形状等であってもよい。必須ではないが、第１吐出孔１３、１３が設けられる位置は、図３に示したように、冷却液供給管１１の管体の中心から回転電機の周方向に向かった位置付近であることが好ましい。また、第１吐出孔１３、１３が、冷却液供給管１１の管壁を貫通する方向は、図３に示したように、回転電機の周方向に沿った方向であることが好ましい。
【００４２】
また、上記実施形態の説明においては、ガイド部材が周方向の端部で湾曲形成されている実施形態について説明したが、湾曲することは必須ではなく、屈曲した形態であってもよい。なお、屈曲形態とする場合には、吐出された冷却液の流れが遮られにくいように、屈曲する角度を６０度以下、より好ましくは４５度以下にすることが好ましい。また、ガイド部材の表面を屈曲させる場合には、一度に大きな角度で屈曲させるのではなく、複数個所で少しずつ段階的に屈曲させることが好ましい。
【００４３】
また、ガイド部材の周方向の末端部で、軸方向に沿って見て、ガイド部材の末端部と回転電機の径方向がなす角が、好ましくは４０度以下、より好ましくは２５度以下となるようにするとよい。上記実施形態のように、ガイド部材の周方向の末端部が、概ね回転電機の径方向に沿って延在することが、特に好ましい。このようにすれば、冷却液が、ガイド部材の湾曲した端部で曲がって流れて、ガイド部材の末端部からコイルの奥に届くようにかけられやすく、冷却液の利用効率がより高められる。冷却液供給部材１が、回転電機のコイルの真上ではなく、斜め上や横（側面）に設けられる場合には、特に、このような構成とすることが好ましい。
【００４４】
図６は、冷却液供給管２１にガイド部材２２，２２が一体化された第２実施形態の冷却液供給部材２を示す斜視図である。この実施形態においても、第１吐出孔２３，２３から回転電機の周方向に吐出された冷却液が、ガイド部材２２の表面に沿って流れ、ガイド部材２２の端部２２ｂで湾曲形成された部分でコイルエンドに向かう方向に導かれる点は、第１実施形態と同様である。
【００４５】
本実施形態においては、ガイド部材２２の表面には溝２２ｃが形成されていて、吐出孔２３から吐出された冷却液が前記溝２２ｃに沿って流れて、ステータコイルに導かれる。溝２２ｃは、冷却液の流れを妨げないよう、冷却液供給管２１からガイド部材２２の端部２２ｂに向かう方向に沿って形成されている。
より具体的には、ガイド部材２２は板状に形成された部材であり、ガイド部材２２を波板状に形成することにより、溝２２ｃが形成されている。溝２２ｃは、ガイド部材２２がコイルに向かう方向に湾曲もしくは屈曲する周方向端部（冷却液供給管２１とは反対側の部分）２２ｂに形成されていることが好ましい。
【００４６】
ガイド部材に溝が形成され、吐出された冷却液が溝に沿って流れれば、冷却液供給管から隔たった位置であっても、所望する位置に効率的に冷却液をかけることができ、冷却の効率性が増す。また、少なくともガイド部材２２の周方向端部２２ｂが波板状に形成されていれば、かかる部分の溝に冷却液が集まりやすくなり、所望する位置に、より効率的に冷却液をかけることができるようになる。
【００４７】
また、本実施形態においては、回転電機の径方向に沿って見て、溝２２ｃ、２２ｃが放射状に、即ち、冷却液供給管２１の側からガイド部材２２の端部２２ｂに向かうにしたがって、隣接する溝の中心間の距離が大きくなるように、溝２２ｃ、２２ｃが設けられている。この溝の構成に伴い、冷却液供給管２１の第１吐出孔２３，２３は、管の軸線方向中央部に密集して設けられている。すなわち、本実施形態において、一部の吐出孔に関しては、ガイド部材２２の周方向端部２２ｂにおける溝２２ｃの軸方向位置と、当該溝２２ｃに冷却液を吐出する吐出孔２３の軸方向位置とが、異なる位置とされている。
【００４８】
この様な構成とすると、回転電機の軸方向位置に関し、吐出孔２３と冷やしたいコイルの位置の互いの位置関係の自由度が高められる。そのため、冷却液を供給できる範囲が拡大したり、冷却液供給管を短くできたりして、設計上の自由度が高められ、回転電機の冷却構造がより効果的、効率的に実現できる。
【００４９】
図７は、冷却液供給管３１にガイド部材３２，３２が一体化された第３実施形態の冷却液供給部材３を示す斜視図である。本実施形態においては、ガイド部材３２，３２には複数のリブ３５，３５が立設されていて、リブ３５とリブ３５の間の部分が溝となって、第２実施形態における溝２２ｃのように機能する。したがって、リブ３５，３５は、少なくともガイド部材３２の周方向端部３２ｂに設けられていることが好ましい。このようなリブは射出成形を利用して成形しやすく、第１吐出孔３３，３３から吐出された冷却液の拡散を抑制する効果も高い。
【００５０】
上記第２実施形態や第３実施形態のように、ガイド部材に溝を形成する場合には、ガイド部材の周方向末端に向かうにしたがって、溝の幅が狭くなっていくようにしてもよく、このようにすれば、冷却液の拡散が抑制され、特定の箇所に集中してオイルをかけることに好適である。
【００５１】
図８は、冷却液供給管４１にガイド部材４２，４２が一体化された第４実施形態の冷却液供給部材４を示す。本実施形態の冷却液供給部材４の構成は、図２、図３に示した第１実施形態の冷却液供給部材１とおおむね同様であるが、主に第１吐出孔４３ａ，４３ｂ，４３ｃが設けられる形態が異なっている。図８に示すように、本実施形態では、第１吐出孔の一部（４３ａ，４３ｃ）は、回転電機の径方向から見て、周方向に対し傾斜した方向に、冷却液が吐出されるように設けられている。すなわち、図８の下側の図において、第１吐出孔４３ａは、斜め上方に冷却液を吐出し、第１吐出孔４３ｃは、斜め下方に冷却液を吐出する。その結果、冷却液供給管４１の軸方向の位置に関し、第１吐出孔４３ａ，４３ｃは、軸方向に異なる位置に冷却液を効率的に供給可能となっている。このような構成であっても、回転電機の軸方向位置に関し、吐出孔４３ａ，４３ｃと冷やしたいコイルの位置の互いの位置関係の自由度が高められる。そのため、冷却液を供給できる範囲が拡大したり、冷却液供給管を短くできたりして、回転電機の冷却構造がより効果的、効率的に実現できる。
【００５２】
なお、第２実施形態ないし第４実施形態では、第１実施形態に設けられていた第２吐出孔１４，１４の記載は省略したが、これら実施形態においても、第１実施形態と同様に第２吐出孔を設けてもよい。
【００５３】
また、上記実施形態の説明において、冷却液供給管とガイド部材が一体化された冷却液供給部材に関し、取付け部や固定部の詳細の説明は省略した。また、冷却液供給管における他の管路や管路閉塞部材等との接続部等の詳細についても、記載を省略した。これらについては、公知技術を利用すればよい。また、管路等の接続部については、適宜シール部を設けてもよい。
【００５４】
上記実施形態の回転電機の冷却構造の応用については、ハイブリッド自動車に用いられる回転電機に限定されず、回転可能なロータとその外周に設けられるステータを有し、ステータコイルを冷却液で冷却する回転電機が利用される用途であれば広く利用可能である。例えば、そのような回転電機は、電気自動車や、産業用の動力モータや、発電設備などにも利用可能である。
【産業上の利用可能性】
【００５５】
上記実施形態の回転電機の冷却構造は、例えばハイブリッド自動車に使用されるモータジェネレータの冷却に使用でき、産業上の利用価値が高い。
【符号の説明】
【００５６】
１    冷却液供給部材
１１      冷却液供給管
１２      ガイド部材
１３      第１吐出孔
１４      第２吐出孔
９１  ロータ
９４  ステータ
９２      ステータコア
９３      ステータコイル
【図１】
2019088057.tif 000003
【図２】
2019088057.tif 000004
【図３】
2019088057.tif 000005
【図４】
2019088057.tif 000006
【図５】
2019088057.tif 000007
【図６】
2019088057.tif 000008
【図７】
2019088057.tif 000009
【図８】
2019088057.tif 000010